(57)【要約】【課題】刺激の発生時刻を刺激の設定時刻と外部情報とに基づいて自動的に決定する電話機を提供することを目的とする。【解決手段】音声等の刺激を発生する電話機１であって、刺激の設定時刻を入力する設定時刻入力部３と、インターネット等の情報網４からの天気情報や交通情報などの外部情報を取得する外部情報取得部５と、刺激の設定時刻と取得した外部情報とに基づき刺激の発生時刻を決定する発生時刻決定部６と、決定した刺激の発生時刻に刺激を発生する刺激発生部７とを有する。【選択図】  図１
2004187061.tif 000002
【特許請求の範囲】
【請求項１】
音声等の刺激を発生する電話機であって、前記刺激の設定時刻を入力する設定時刻入力部と、インターネット等の情報網からの天気情報や交通情報などの外部情報を取得する外部情報取得部と、前記刺激の設定時刻と取得した前記外部情報とに基づき前記刺激の発生時刻を決定する発生時刻決定部と、決定した前記刺激の発生時刻に刺激を発生する刺激発生部とを有することを特徴とする電話機。
【請求項２】
前記刺激発生部は、前記刺激の発生時刻が前記刺激の設定時刻と同じ時刻であると前記発生時刻決定部により決定した場合の前記刺激と、前記刺激の発生時刻が前記刺激の設定時刻と異なる時刻であると前記発生時刻決定部により決定した場合の前記刺激とを異ならせることを特徴とする請求項１に記載の電話機。
【請求項３】
前記刺激発生部は、前記刺激の発生時刻が前記刺激の設定時刻と異なる時刻であると前記発生時刻決定部により決定した場合には、前記取得した外部情報を前記刺激の発生と同時に通知することを特徴とする請求項１に記載の電話機。
【請求項４】
前記刺激発生部は、前記刺激の発生時刻が前記刺激の設定時刻と同じ時刻であると前記発生時刻決定部により決定した場合には、前記刺激の発生時刻が前記刺激の設定時刻であることを通知することを特徴とする請求項１に記載の電話機。
【請求項５】
気温や気圧、湿度、降雨量などの天気情報を取得する天気センシング部を備え、前記発生時刻決定部は、前記刺激の設定時刻と前記情報網からの外部情報と前記天気センシング部が取得した前記天気情報とに基づいて前記刺激の発生時刻を決定することを特徴とする請求項１乃至４のいずれか１に記載の電話機。
【請求項６】
前記電話機に接続される子機を備え、前記子機は前記電話機の機能と同じ機能を有することを特徴とする請求項１乃至５のいずれか１に記載の電話機。
【発明の詳細な説明】
【０００１】
【発明の属する技術分野】
本発明は、使用者に通知を行うために音声等の刺激を発生する電話機に関するものである。
【０００２】
【従来の技術】
従来、音声等の刺激を発生する電話機として、電話機回線を利用したスケジュール管理サービス装置やメモリ付き情報端末などがある。スケジュール管理サービス装置としては例えば（特許文献１）に記載されたものがあり、メモリ付き情報端末としては例えば（特許文献２）に記載されたものがある。（特許文献１）に記載されたスケジュール管理サービス装置は、使用者がそのスケジュールデータベースにスケジュールの予定時刻（設定時刻）と通知先電話機番号とスケジュール内容とを登録するものであり、同装置は、上記予定時刻になると、上記通知先電話機の呼び出しと音声メッセージによる上記予定時刻やスケジュール内容等の通知を行うものである。また、（特許文献２）に記載されたメモリ付き情報端末は、スケジュールで指定された時刻にスピーカからアラームを送出し、また表示画面に実行すべき内容を表示するものである。
【０００３】
【特許文献１】
特開平０８−１４９２０６号公報
【特許文献２】
特開２００１−１０１１４４号公報
【０００４】
【発明が解決しようとする課題】
しかしながら、上記従来の電話機においては、スケジュールの設定時刻や内容等を音声（刺激）により通知するが、刺激の発生時刻を設定時刻のみにより決定し、インターネット等の情報網からの外部情報により自動的に刺激の発生時刻を決定することができないという問題点を有していた。すなわち、一旦、使用者により設定された刺激の設定時刻は使用者が変更しない限り変わることは無く、この設定時刻を刺激の発生時刻として刺激が発生するという問題点を有していた。例えば、台風等の天災による朝の交通機関の乱れに対応するためには、寝ている間の外部情報によりスケジュールを早め、早めに起きる必要があるが、早めに起きたくても、従来の電話機では、刺激の発生時刻が設定時刻から自動的に変更されることが無く、早めに起きて行動することができない。
【０００５】
この電話機では、刺激の発生時刻を刺激の設定時刻と外部情報とに基づいて自動的に決定することが要求されている。
【０００６】
本発明は、この要求を満たすため、刺激の発生時刻を刺激の設定時刻と外部情報とに基づいて自動的に決定する電話機を提供することを目的とする。
【０００７】
【課題を解決するための手段】
上記課題を解決するために本発明の電話機は、音声等の刺激を発生する電話機であって、刺激の設定時刻を入力する設定時刻入力部と、インターネット等の情報網からの天気情報や交通情報などの外部情報を取得する外部情報取得部と、刺激の設定時刻と取得した外部情報とに基づき刺激の発生時刻を決定する発生時刻決定部と、決定した刺激の発生時刻に刺激を発生する刺激発生部とを有する構成を備えている。
【０００８】
これにより、刺激の発生時刻を刺激の設定時刻と外部情報とに基づいて自動的に決定する電話機が得られる。
【０００９】
【発明の実施の形態】
本発明の請求項１に記載の電話機は、音声等の刺激を発生する電話機であって、刺激の設定時刻を入力する設定時刻入力部と、インターネット等の情報網からの天気情報や交通情報などの外部情報を取得する外部情報取得部と、刺激の設定時刻と取得した外部情報とに基づき刺激の発生時刻を決定する発生時刻決定部と、決定した刺激の発生時刻に刺激を発生する刺激発生部とを有することとしたものである。
【００１０】
この構成により、刺激の設定時刻と取得した外部情報とに基づき刺激の発生時刻を決定するようにしたので、刺激の発生時刻を自動的に決定することができ、刺激の設定時刻が刺激の発生時刻となるようにすることができると共に天気や交通機関の乱れ等に関する外部情報に基づいて柔軟に刺激の発生時刻を決定することができるという作用を有する。
【００１１】
請求項２に記載の電話機は、請求項１に記載の電話機において、刺激発生部は、刺激の発生時刻が刺激の設定時刻と同じ時刻であると発生時刻決定部により決定した場合の刺激と、刺激の発生時刻が刺激の設定時刻と異なる時刻であると発生時刻決定部により決定した場合の刺激とを異ならせることとしたものである。
【００１２】
この構成により、刺激の発生時刻が設定時刻と異なるか否かにより刺激の種類が異なるようにしたので、刺激の発生時刻が設定時刻と同じか否かを明確に知ることができるという作用を有する。
【００１３】
請求項３に記載の電話機は、請求項１に記載の電話機において、刺激発生部は、刺激の発生時刻が刺激の設定時刻と異なる時刻であると発生時刻決定部により決定した場合には、取得した外部情報を刺激の発生と同時に通知することとしたものである。
【００１４】
この構成により、設定時刻を変更して発生時刻を決定することとなった原因（外部情報）を刺激の発生と同時に使用者に知らせることができるという作用を有する。
【００１５】
請求項４に記載の電話機は、請求項１に記載の電話機において、刺激発生部は、刺激の発生時刻を刺激の設定時刻と同じ時刻であると発生時刻決定部により決定した場合には、刺激の発生時刻が刺激の設定時刻であることを通知することとしたものである。
【００１６】
この構成により、インターネット等の情報網からの外部情報に基づいてイレギュラーに決定された刺激の発生時刻に刺激が発生したのではなく、設定時刻に刺激が発生したことを使用者は明確に知ることができるという作用を有する。
【００１７】
請求項５に記載の電話機は、請求項１乃至４のいずれか１に記載の電話機において、気温や気圧、湿度、降雨量などの天気情報を取得する天気センシング部を備え、発生時刻決定部は、刺激の設定時刻と情報網からの外部情報と天気センシング部が取得した天気情報とに基づいて刺激の発生時刻を決定することとしたものである。
【００１８】
この構成により、インターネット等の情報網から取得した天気情報（外部情報）と電話機の使用地の天気情報とが大きく異なる場合でも、より確かな天気情報に基づいて刺激の発生時刻を決定することができるので、刺激の発生時刻を状況に応じて正確に決定することができるという作用を有する。
【００１９】
請求項６に記載の電話機は、請求項１乃至５のいずれか１に記載の電話機において、電話機に接続される子機を備え、子機は電話機の機能と同じ機能を有することとしたものである。
【００２０】
この構成により、各子機で設定される設定時刻や外部情報に基づいて、各子機でも独自に刺激の発生時刻を決定することができるという作用を有する。
【００２１】
以下、本発明の実施の形態について、図１〜図６を用いて説明する。
【００２２】
（実施の形態１）
図１は、本発明の実施の形態１による電話機を示すブロック図である。
【００２３】
図１において、１は電話機、２は電話機１の使用者、３は使用者２からの刺激発生の設定時刻を入力する設定時刻入力部、４はインターネット等の情報網、５はインターネット等の情報網４からの外部情報を取得する外部情報取得部、６は使用者２からの設定時刻と外部情報取得部５からの外部情報とに基づいて刺激の発生する時刻を決定する発生時刻決定部、７は発生時刻決定部６が決定した時刻に刺激を発生する刺激発生部、８は実際に外部に刺激を出力する刺激出力部としてのスピーカである。
【００２４】
以上のように構成された電話機１について、その動作を説明する。
【００２５】
まず、初期の設定として、外部情報取得部５に使用者２が使用する使用地の位置情報や使用者に関係する交通機関等を予め登録する。これにより、使用者２にとって必要とされる情報のみを取得できるようになる。次に、使用者２が普段、刺激を発生させたい時刻を設定時刻として設定時刻入力部３に入力する。一方、外部情報取得部５は、インターネット等の情報網４を介して、天気や交通機関等に関する外部情報を取得する。外部情報取得部５は、インターネット等の情報網４に常時接続されており、常に新しい外部情報を取得できるようになっている。そして、設定時刻入力部３に入力された設定時刻と、外部情報取得部５に入力された外部情報とに基づいて、発生時刻決定部６において、刺激の発生時刻を決定する。決定の際に、発生時刻決定部６においては、外部情報取得部５から取得した外部情報をその種類と重要度によって評価し、数値化する。ここで求められた数値により、設定時刻を変更する時間量が決まり、設定時刻からその時間量を変更することで、刺激の発生時刻を決定する。刺激の発生時刻が決定されると、その情報が刺激発生部に伝わり、刺激の発生時刻になると刺激を発生し、信号を刺激出力部８から出力し、実際に刺激が発生できる。ここでは、刺激出力部をスピーカとしたが、刺激出力部としては、他にもＬＥＤや、バイブレーター、ディスプレイ等が考えられる。
【００２６】
以上のように本実施の形態によれば、刺激の設定時刻を入力する設定時刻入力部３と、インターネット等の情報網４からの天気情報や交通情報などの外部情報を取得する外部情報取得部５と、刺激の設定時刻と取得した外部情報とに基づき刺激の発生時刻を決定する発生時刻決定部６と、決定した刺激の発生時刻に刺激を発生する刺激発生部７とを有することにより、刺激の設定時刻と取得した外部情報とに基づき刺激の発生時刻を決定するようにしたので、刺激の発生時刻を自動的に決定することができ、刺激の設定時刻が刺激の発生時刻となるようにすることができると共に天気や交通機関の乱れ等に関する外部情報に基づいて柔軟に刺激の発生時刻を決定することができる。
【００２７】
（実施の形態２）
図２（ａ）、（ｂ）は、本発明の実施の形態２による電話機を示すブロック図である。
【００２８】
図２において、電話機１、使用者２、インターネット等の情報網４、スピーカ８は図１と同様のものであり、その説明は省略する。
【００２９】
本実施の形態でも、実施の形態１と同様にして刺激を発生させるが、刺激については場合によって異なる刺激を発生させるようにしている。図２は異なる刺激の発生形態を示したものである。電話機１は、インターネット等の情報網４の情報によって、設定時刻が適切な時間量だけ変更され、変更時刻として刺激の発生時刻が決定されることがある。図２（ａ）に示すように、刺激の発生が設定時刻と同じ時刻に刺激の発生時刻が決定された場合にはピーピーという刺激を発生し（図２（ａ）では「ピーピー♪」と記載されている）、図２（ｂ）に示すように、設定時刻と異なる時刻に刺激の発生時刻が決定された場合にはブーブーという刺激を発生する（図２（ｂ）では「ブーブー♪」と記載されている）。このように異なる刺激を発生することができる。なお、以上の説明では刺激出力部をスピーカで構成した例で説明したが、ディスプレイ等で構成しても同様の効果を奏する。
【００３０】
以上のように本実施の形態によれば、刺激発生部７は、刺激の発生時刻が刺激の設定時刻と同じ時刻であると発生時刻決定部６により決定した場合の刺激と、刺激の発生時刻が刺激の設定時刻と異なる時刻であると発生時刻決定部６により決定した場合の刺激とを異ならせることにより、刺激の発生時刻が設定時刻と異なるか否かにより刺激の種類が異なるようにしたので、刺激の発生時刻が設定時刻と同じか否かを明確に知ることができる。
【００３１】
（実施の形態３）
図３（ａ）は本発明の実施の形態３による電話機の画面を示す画面図であり、図３（ｂ）は本発明の実施の形態３による電話機を示すブロック図である。
【００３２】
図３において、電話機１、使用者２、インターネット等の情報網４、スピーカ８は図１と同様のものであり、その説明は省略する。９は刺激出力部としてのディスプレイである。
【００３３】
本実施の形態でも、実施の形態１と同様にして刺激を発生させるが、刺激の発生と同時に刺激の発生時刻を決定した原因（外部情報）を知らせるようにしている。図３（ａ）はディスプレイ９の画面表示による決定原因通知の様子を示し、図３（ｂ）は音声による決定原因通知の様子を示す。このように、外部情報により、設定時刻と異なる時刻に刺激の発生時刻が決定され、刺激を発生した場合、刺激の発生と同時に、刺激の発生時刻の決定原因（外部情報）を音声あるいは画面表示により使用者２に知らせることができる。
【００３４】
以上のように本実施の形態によれば、刺激発生部７は、刺激の発生時刻が刺激の設定時刻と異なる時刻であると発生時刻決定部により決定した場合には、取得した外部情報を刺激の発生と同時に通知することにより、設定時刻を変更して発生時刻を決定することとなった原因（外部情報）を刺激の発生と同時に使用者に知らせることができる。
【００３５】
（実施の形態４）
図４（ａ）は本発明の実施の形態４による電話機の画面を示す画面図であり、図４（ｂ）は本発明の実施の形態４による電話機を示すブロック図である。
【００３６】
図４において、電話機１、使用者２、インターネット等の情報網４、スピーカ８、ディスプレイ９は図３と同様のものであり、その説明は省略する。
【００３７】
本実施の形態でも、実施の形態１と同様にして刺激を発生させるが、刺激の発生と同時に、設定時刻と同じ時刻に発生時刻を決定したことを知らせるようにしている。図４（ａ）はディスプレイ９の画面表示による設定時刻における刺激発生の通知の様子を示し、図４（ｂ）は音声による設定時刻における刺激発生の通知の様子を示す。このように、設定時刻と同じ時刻に刺激の発生時刻が決定され、刺激を発生した場合、刺激を止めるための指示を与えると、インターネットからの情報によりイレギュラーに決定された刺激の発生時刻に刺激が発生したのではなく、設定時刻に刺激が発生したことを音声あるいは画面表示等により知らせることができる。
【００３８】
以上のように本実施の形態によれば、刺激発生部７は、刺激の発生時刻を刺激の設定時刻と同じ時刻であると発生時刻決定部６により決定した場合には、刺激の発生時刻が刺激の設定時刻であることを通知することにより、インターネット等の情報網４からの外部情報に基づいてイレギュラーに決定された刺激の発生時刻に刺激が発生したのではなく、設定時刻に刺激が発生したことを使用者は明確に知ることができる。
【００３９】
（実施の形態５）
図５は、本発明の実施の形態５による電話機を示すブロック図である。
【００４０】
図５において、電話機１、使用者２、設定時刻入力部３、インターネット等の情報網４、外部情報取得部５、発生時刻決定部６、スピーカ８は図１と同様のものであり、同一符号を付し、説明は省略する。１０は電話機１の外部にあって、使用地の気温や、気圧、湿度、降雨量等の天気情報を取得するための天気センシング部である。この天気センシング部１０は複数で構成することもでき、その場合は外部情報入力部５に少なくとも１つ以上が接続されている。
【００４１】
以上のように構成された電話機１について、その動作を説明する。
【００４２】
まず、初期の設定を実施の形態１と同様にして行う。次に、使用者２が普段、刺激を発生させたい時刻を設定時刻として設定時刻入力部３に入力する。一方、外部情報取得部５は、インターネット等の情報網４を介して、天気や交通機関等に関する外部情報を取得する。さらに、天気センシング部１０から使用地の天気情報も取得する。外部情報取得部５は、インターネット等の情報網４と天気センシング部１０とに常時接続されており、常に新しい外部情報を取得することができる。そして、発生時刻決定部６は、設定時刻入力部３に入力された設定時刻と外部情報取得部５に入力された２つの外部情報とに基づいて、刺激の発生時刻を決定する。実施の形態１と同様に、発生時刻決定部６においては、外部情報をその種類と重要度によって評価し、数値化し、求められた時間量により設定時刻を変更することで、変更時刻として刺激の発生時刻を決定する。刺激の発生時刻が決定されると、その情報が刺激発生部７に伝わり、刺激の発生時刻になると刺激を発生し、信号を刺激出力部８から出力し、実際に刺激を発生することができる。
【００４３】
以上のように本実施の形態によれば、気温や気圧、湿度、降雨量などの天気情報を取得する天気センシング部１０を備え、発生時刻決定部６は、刺激の設定時刻と情報網４からの外部情報と天気センシング部１０が取得した天気情報とに基づいて刺激の発生時刻を決定することにより、インターネット等の情報網４から取得した天気情報（外部情報）と電話機の使用地の天気情報とが大きく異なる場合でも、より確かな天気情報に基づいて刺激の発生時刻を決定することができるので、刺激の発生時刻を状況に応じて正確に決定することができる。
【００４４】
（実施の形態６）
図６は、本発明の実施の形態６による電話機を示す構成図である。
【００４５】
電話機１、使用者２、インターネット等の情報網４、スピーカ８、天気センシング部１０は、図６と同様のものなので、同一符号を付し、説明は省略する。１１は親機としての電話機１と接続される子機である。図６は、図５で示す電話機１を親機とし、電話機１と同じ機能を持つ子機１１を備えた新たな電話機の構成（電話機１と子機１１とから成る新たな電話機）を示す。
【００４６】
このように構成された電話機１、１１について、その動作を説明する。
【００４７】
本実施の形態では、電話機１の無線部（図示せず）を介してつながる子機１１を少なくとも１つ以上有し、親機１は各子機１１に、インターネット等の情報網４からの外部情報と天気センシング部１０からの外部情報とを定期的に与える。各子機１１では、それぞれで設定される設定時刻と親機１からの外部情報とに基づいて、各子機１１の刺激の発生時刻を決定することができる。また、刺激の発生方法、発生条件の通知についても、各子機１１は親機１と同じ機能を有し、実施の形態２〜４で述べた親機１と同じ動作で刺激を発生することができる。
【００４８】
以上のように本実施の形態によれば、電話機１に接続される子機１１を備え、子機１１は電話機１の機能と同じ機能を有することにより、各子機１１で設定される設定時刻や外部情報に基づいて、各子機１１でも独自に刺激の発生時刻を決定することができる。
【００４９】
【発明の効果】
以上説明したように本発明の請求項１に記載の電話機によれば、音声等の刺激を発生する電話機であって、刺激の設定時刻を入力する設定時刻入力部と、インターネット等の情報網からの天気情報や交通情報などの外部情報を取得する外部情報取得部と、刺激の設定時刻と取得した外部情報とに基づき刺激の発生時刻を決定する発生時刻決定部と、決定した刺激の発生時刻に刺激を発生する刺激発生部とを有することにより、刺激の設定時刻と取得した外部情報とに基づき刺激の発生時刻を決定するようにしたので、刺激の発生時刻を自動的に決定することができ、刺激の設定時刻が刺激の発生時刻となるようにすることができると共に天気や交通機関の乱れ等に関する外部情報に基づいて柔軟に刺激の発生時刻を決定することができるという有利な効果が得られる。
【００５０】
請求項２に記載の電話機によれば、請求項１に記載の電話機において、刺激発生部は、刺激の発生時刻が刺激の設定時刻と同じ時刻であると発生時刻決定部により決定した場合の刺激と、刺激の発生時刻が刺激の設定時刻と異なる時刻であると発生時刻決定部により決定した場合の刺激とを異ならせることにより、刺激の発生時刻が設定時刻と異なるか否かにより刺激の種類が異なるようにしたので、刺激の発生時刻が設定時刻と同じか否かを明確に知ることができるという有利な効果が得られる。
【００５１】
請求項３に記載の電話機によれば、請求項１に記載の電話機において、刺激発生部は、刺激の発生時刻が刺激の設定時刻と異なる時刻であると発生時刻決定部により決定した場合には、取得した外部情報を刺激の発生と同時に通知することにより、設定時刻を変更して発生時刻を決定することとなった原因（外部情報）を刺激の発生と同時に使用者に知らせることができるという有利な効果が得られる。
【００５２】
請求項４に記載の電話機によれば、請求項１に記載の電話機において、刺激発生部は、刺激の発生時刻を刺激の設定時刻と同じ時刻であると発生時刻決定部により決定した場合には、刺激の発生時刻が刺激の設定時刻であることを通知することにより、インターネット等の情報網からの外部情報に基づいてイレギュラーに決定された刺激の発生時刻に刺激が発生したのではなく、設定時刻に刺激が発生したことを使用者は明確に知ることができるという有利な効果が得られる。
【００５３】
請求項５に記載の電話機によれば、請求項１乃至４のいずれか１に記載の電話機において、気温や気圧、湿度、降雨量などの天気情報を取得する天気センシング部を備え、発生時刻決定部は、刺激の設定時刻と情報網からの外部情報と天気センシング部が取得した天気情報とに基づいて刺激の発生時刻を決定することにより、インターネット等の情報網から取得した天気情報（外部情報）と電話機の使用地の天気情報とが大きく異なる場合でも、より確かな天気情報に基づいて刺激の発生時刻を決定することができるので、刺激の発生時刻を状況に応じて正確に決定することができるという有利な効果が得られる。
【００５４】
請求項６に記載の電話機によれば、請求項１乃至５のいずれか１に記載の電話機において、電話機に接続される子機を備え、子機は電話機の機能と同じ機能を有することにより、各子機で設定される設定時刻や外部情報に基づいて、各子機でも独自に刺激の発生時刻を決定することができるという有利な効果が得られる。
【図面の簡単な説明】
【図１】本発明の実施の形態１による電話機を示すブロック図
【図２】（ａ）本発明の実施の形態２による電話機を示すブロック図
（ｂ）本発明の実施の形態２による電話機を示すブロック図
【図３】（ａ）本発明の実施の形態３による電話機の画面を示す画面図
（ｂ）本発明の実施の形態３による電話機を示すブロック図
【図４】（ａ）本発明の実施の形態４による電話機の画面を示す画面図
（ｂ）本発明の実施の形態４による電話機を示すブロック図
【図５】本発明の実施の形態５による電話機を示すブロック図
【図６】本発明の実施の形態６による電話機を示す構成図
【符号の説明】
１  電話機（親機）
２  使用者
３  設定時刻入力部
４  インターネット等の情報網
５  外部情報取得部
６  発生時刻決定部
７  刺激発生部
８  スピーカ（刺激出力部）
９  ディスプレイ（刺激出力部）
１０  天気センシング部
１１  子機
【図１】
2004187061.tif 000003
【図２】
2004187061.tif 000004
【図３】
2004187061.tif 000005
【図４】
2004187061.tif 000006
【図５】
2004187061.tif 000007
【図６】
2004187061.tif 000008